(57)【要約】【課題】コンロ本体の密閉性が高くても、十分な燃焼用空気を吸入してコンロ本体に供給でき、その吸気構造も簡単なコンロである。【解決手段】ドロップインコンロは、コンロ本体の上面を覆う天板１４に汁受皿２２を配設する開口１６が開設され、天板１４の開口周縁部１４ａにパッキン２０が取付けられ、パッキン２０に汁受皿２２が載置される。パッキン２０の上片部２０ｂ１の上面２１に周方向に間隔を開けて凸部２１Ｔを設けて、パッキン２０に高部壁２１Ｈと低部壁２１Ｌとを形成し、低部壁２１Ｌと汁受皿２２との間に燃焼用空気の吸気部３２を画成した。【選択図】　　　　図４
2004144307.tif 000002
【特許請求の範囲】
【請求項１】
コンロ本体の上面を覆う天板に汁受皿が配設される開口を開設すると共に、該天板の開口周縁部にパッキンを取り付け、該パッキンに汁受皿を載置したコンロにおいて、
前記パッキンの上面に周方向に間隔を開けて凸部を設けて高部壁と低部壁とを形成し、該低部壁上面と前記汁受皿との間に燃焼用空気の吸気部を画成したことを特徴とするコンロ。
【請求項２】
コンロ本体の上面を覆う天板にガスバーナが臨む開口を開設すると共に、該天板の開口周縁部にパッキンを取り付け、該パッキンに煮汁リングを載置したコンロにおいて、
前記パッキンの上面に周方向に間隔を開けて凸部を設けて高部壁と低部壁とを形成し、該低部壁上面と前記煮汁リングとの間に燃焼用空気の吸気部を画成したことを特徴とするコンロ。
【請求項３】
前記汁受皿の外周縁に前記天板の上面に達しない垂下壁を設けると共に、該垂下壁は前記吸気部の入口の外方に間隙を存して位置することを特徴とする請求項１記載のコンロ。
【請求項４】
前記煮汁リングの外周縁に前記天板の上面に達しない垂下壁を設けると共に、該垂下壁は前記吸気部の入口の外方に間隙を存して位置することを特徴とする請求項２記載のコンロ。
【請求項５】
前記パッキンの前記高部壁のうちの少なくとも凸部の外側面は前記低部壁の外側面より外方に突出していることを特徴とする請求項３または４記載のコンロ。
【請求項６】
前記パッキンの内周面側の前記低壁部の内側のみに前記高部壁の内側より外方に後退した切除部を設けたことを特徴とする請求項１〜５のいずれかの項に記載のコンロ。
【請求項７】
前記パッキンの前記高部壁の内周面は前記低部壁の内周面より内側に突出していることを特徴とする請求項１〜５のいずれかの項に記載のコンロ。
【発明の詳細な説明】
【０００１】
【発明の属する技術分野】
本発明は、ドロップインコンロ等の密閉性を高めたコンロに関するものである。
【０００２】
【従来の技術】
従来より、調理台のワークトップにドロップインコンロを設置したシステムキッチンが知られている。このドロップインコンロは、ガスバーナを収容したコンロ本体の上面を天板で覆ってなり、コンロ本体の周壁上端のフランジ部をワークトップの開口周囲の上面に係止することにより、ワークトップの開口に吊持される。
【０００３】
この天板には、ガスバーナの臨む開口が設けられている。さらに詳細には、該開口には汁受皿が配設され、この汁受皿の窓よりガスバーナが臨んでいる。天板の開口には、煮こぼれ汁を該開口からコンロ本体内に入り込ませないためや、天板がガラス板の場合は開口周縁部の保護のためにパッキンが取り付けられており、該パッキンに汁受皿が載置され、汁受皿上に五徳が載置される（例えば、特許文献１参照）。
【０００４】
【特許文献１】
実用新案登録第２５０５１５８号
【０００５】
【発明が解決しようとする課題】
ところで、このようなドロップインコンロでは、コンロ本体内の熱が外部に及ぶことを極力防止するために、コンロ本体の密閉性を高めている。このためコンロ本体の周囲からは燃焼用空気が入りづらく、コンロ本体内に十分な燃焼用空気を簡単に吸入させることが難しい問題があった。
【０００６】
このようなことから、ドロップインコンロ等の密閉性の高いコンロにおいて、コンロ本体内に十分な燃焼用空気を吸入させることができ、その構造も簡単な吸気構造の開発が望まれていた。
【０００７】
したがって、本発明の課題は、コンロ本体の密閉性が高くても、十分な燃焼用空気を吸入してコンロ本体内に供給でき、その吸気構造も簡単なコンロを提供することである。
【０００８】
【課題を解決するための手段】
上記課題を解決するために、請求項１記載の発明は、コンロ本体の上面を覆う天板に汁受皿が配設される開口を開設すると共に、該天板の開口周縁部にパッキンを取り付け、該パッキンに汁受皿を載置したコンロにおいて、前記パッキンの上面に周方向に間隔を開けて凸部を設けて高部壁と低部壁とを形成し、該低部壁上面と前記汁受皿との間に燃焼用空気の吸気部を画成したことを特徴とする。
【０００９】
請求項１の発明によれば、パッキンと汁受皿との間に吸気部を形成したので、天板の上方から燃焼用空気を吸い込むことができ、コンロ本体の密閉性が高くても、十分な燃焼用空気を吸い込んでコンロ本体内に供給することができる。またパッキンの上面に凸部を間隔をあけて設けるだけで、汁受皿との間で吸気部を形成するので、吸気構造も簡単である。
【００１０】
請求項２記載の発明は、コンロ本体の上面を覆う天板にガスバーナが臨む開口を開設すると共に、該天板の開口周縁部にパッキンを取り付け、該パッキンに煮汁リングを載置したコンロにおいて、前記パッキンの上面に周方向に間隔を開けて凸部を設けて高部壁と低部壁とを形成し、該低部壁上面と前記煮汁リングとの間に燃焼用空気の吸気部を画成したことを特徴とする。
【００１１】
請求項２の発明によれば、パッキンと煮汁リングとの間に吸気部を形成したので、天板の上方から燃焼用空気を吸い込むことができ、コンロ本体の密閉性が高くても、十分な燃焼用空気を吸い込んでコンロ本体内に供給することができる。またパッキンの上面に凸部を間隔をあけて設けるだけで、煮汁リングとの間で吸気部を形成するので、吸気構造も簡単である。
【００１２】
請求項３記載の発明は、請求項１のコンロにおいて、前記汁受皿の外周縁に前記天板の上面に達しない垂下壁を設けると共に、該垂下壁は前記吸気部の入口の外方に間隙を存して位置することを特徴とする。
【００１３】
請求項３の発明によれば、汁受皿の外周縁の垂下壁が吸気部の入口とは間隙を存して外方に位置しているので、この垂下壁が水切り機能を持ち、煮こぼれ汁が垂下壁を滴下するので吸気部から煮こぼれ汁が入らないと共に、垂下壁が吸気部を塞ぐことがなく良好な吸気ができる。また垂下壁は高部壁と低部壁とが交互にあるパッキンの複雑形状を覆い、パッキンが外観的にすっきりした状態となる。
【００１４】
請求項４記載の発明は、請求項２のコンロにおいて、前記煮汁リングの外周縁に前記天板の上面に達しない垂下壁を設けると共に、該垂下壁は前記吸気部の入口の外方に間隙を存して位置することを特徴とする。
【００１５】
請求項４の発明によれば、煮汁リングの外周縁の垂下壁が吸気部の入口とは間隙を存して外方に位置しているので、この垂下壁が水切り機能を持ち、煮こぼれ汁が垂下壁を滴下するので吸気部から煮こぼれ汁が入らないと共に、垂下壁が吸気部を塞ぐことがなく良好な吸気ができる。また垂下壁は高部壁と低部壁とが交互にあるパッキンの複雑形状を覆い、パッキンが外観的にすっきりした状態となる。
【００１６】
請求項５の発明は、請求項３または４のコンロにおいて、前記パッキンの前記高部壁のうちの少なくとも凸部の外側面は前記低部壁の外側面より外方に突出していることを特徴とする。
【００１７】
例えば汁受皿の位置が半径方向にずれた場合、汁受皿の外周部に垂下壁を備えていると、該垂下壁がパッキンの外周面に接触して吸気口を塞ぐ恐れがあるが、請求項５の発明によれば、パッキンの高部壁の外側面を低部壁の外側面より外方に突出しているので、垂下部が低部壁より外側に突出した高部壁の外側面に接触することにより吸気部が塞がれるのを防ぐことができ、吸気部を確実に確保することができる。煮汁リングの場合についても同様である。
【００１８】
請求項６記載の発明は、請求項１〜５のいずれかのコンロにおいて、前記パッキンの内周面側の前記低壁部の内側のみに前記高部壁の内側より外方に後退した切除部を設けたことを特徴とする。
【００１９】
請求項６の発明のようにすれば、パッキンの内周面側で汁受皿の外周立ち上がり壁との間の間隙をより多く形成でき、特に汁受皿が半径方向にずれて外周立ち上がり壁がパッキンの内周側面に接近しても該間隙を確保することができる。煮汁リングの場合についても同様である。
【００２０】
請求項７記載の発明は、請求項１〜５のいずれかのコンロにおいて、前記パッキンの前記高部壁の内周面は前記低部壁の内周面より内側に突出していることを特徴とする。
【００２１】
請求項７の発明によれば、パッキンの高部壁の内周面が低部壁の内周面、即ち吸気部の出口より内方に突出するので、汁受皿が半径方向にずれても汁受皿の外周立ち上がり壁が高部壁の低部壁の内周面より内側に突出した内周面に当接して、それ以上低部壁、即ち吸気口の出口に接近しないように位置規制され、パッキンの内周側面と汁受皿の外周立ち上がり壁との間の間隙を確保できる。このとき汁受皿の中心を起点とした反対側では、汁受皿の垂下壁と吸気部の入口とが接近することになるが、上記の汁受皿の位置規制により両者の間隙は確保される。煮汁リングの場合についても同様である。
【００２２】
【発明の実施の形態】
以下、本発明の実施の形態を詳述する。
【００２３】
図１は、本発明のコンロの一実施の形態を示す断面図である。本コンロ１０は、ドロップイン式のガラストップコンロで、コンロ本体１２の上面は、耐熱製のガラス板（セラミックガラス）を使用した天板１４により覆われ、該天板１４には汁受皿２２を配設する開口１６が開設されている。天板１４の開口１６の周縁部１４ａには、煮こぼれ汁が開口１６に落入しないように環状のパッキン２０が取り付けられ、パッキン２０上に前記汁受皿２２が載置され、汁受皿２２上に五徳２４が載置されている。なお、この実施形態では、天板１４にガラス板を使用しているので、パッキン２０は天板１４の開口周縁部１４ａの保護体にもなっている。
【００２４】
この汁受皿２２は、ガスバーナ１８の頭部１８ａが挿通する窓穴２２ａの周囲に汁溜まり部２２ｂを備える。図１のＤ部詳細を示す図４に示すように、汁溜まり部２２ｂの外周立ち上がり壁２２ｃの上端には外方へ水平に延びるフランジ部２２ｄが形成され、さらにその外周からは垂下壁２２ｅが形成されている。該垂下壁２２ｅの下端は、汁受皿２２がパッキン２０に載置されたとき天板１４にまで達せず天板１４との間に間隙Ｘを存する。なお、この例では外周立ち上がり壁２２ｃには段部２２ｆが形成されて、段部２２ｆに五徳２４が載置されている。
【００２５】
なお、２２ｇは汁溜まり部２２ｂの内周立ち上がり壁である。２８はガスコックで、コンロ本体１２の底部に取り付けられたインレット３０ａに連結したガス供給管３０に接続される。ガスコック２８に設けられた操作軸２５には天板１４上のつまみ２３が取り付けられ、つまみ２３を介してガスコック２８によりバーナ１８の点火、消火および火力調整が行われる。２６は消火検出用のサーモカップル、２７は点火プラグである。
【００２６】
コンロ本体１２は、コンロ本体１２の周壁上端のフランジ部１２ａをシステムキッチンのワークトップ２に設けられた開口３の周縁上面に係止させることにより、ワークトップ２の開口３に吊持されている。ワークトップ２の上面からの水や煮汁等のコンロ本体１２内への侵入を防止するために、天板１４とワークトップ２との間には全周にわたってパッキン１２ｂを介挿している。
【００２７】
前記のパッキン２０は、上片部２０ｂ１、下片部２０ｂ２および側片部２０ｂ３からなる断面略コ字状のリングで、これら三片部に囲まれた凹溝２０ａを外周側面に有し、該凹溝２０ａに天板１４の開口１６の周縁部１４ａが嵌る。汁受皿２２は、そのフランジ部２２ｄがパッキン２０の上片部２０ｂ１に載置されて、天板１４の開口１６に配設される。
【００２８】
本実施の形態によれば、図２および図３に示すように、汁受皿２２のフランジ部２２ｄが載置される庇状の上片部２０ｂ１に、周方向に等間隔に凸部２１Ｔを１２個形成した。これにより、パッキン２０の上辺部２０ｂ１は、凸部２１Ｔ間の高さＬの低部壁２１Ｌと、低部壁２１Ｌより凸部２１Ｔ分だけ高い高さＨの高部壁２１Ｈとからなり、パッキン２０の上面２１は高部面と低部面とが形成された凹凸状となり、汁受皿２２のフランジ部２２ｄは高部壁２１Ｈで受けられて、低部壁２１Ｌの低部面とフランジ部２２ｄとの間には間隙ができて吸気部３２となる。この吸気部３２は天板１４の開口１６を介してコンロ本体１２内部に連通する。
【００２９】
ところで、この汁受皿２２に設けられた前記垂下壁２２ｅは吸気部３２の入口３２ａの外方に間隙Ｙを存して位置している。したがって垂下壁２２ｅが水切り機能を持ち、汁受皿２２の外周縁に落ちた煮汁は垂下壁２２ｅを滴下するので、前記吸気部３２に入り込むことはない。またこの垂下壁２２ｅは高部壁と低部壁とが交互にあるパッキン２０の複雑形状を覆い、パッキン２０が外観的にすっきりした状態となる。
【００３０】
したがって、コンロ１０のガスバーナ１８でガスを燃焼させると、天板１４の上方から燃焼用空気が吸気部３２より吸い込まれ、開口１６を介してコンロ本体１２内に供給される。このように、パッキン２０と汁受皿２２のフランジ部２２ｄとの間に吸気部３２を形成すれば、天板１４の上方から燃焼用空気を吸い込むことができるので、コンロ本体１２の密閉性が高くても、十分な燃焼用空気を吸い込んでコンロ本体１２内に供給することができる。またパッキン２０の上面２１に凸部２１Ｔを間隔をあけて設けるだけで、汁受皿２２のフランジ部２２ｄとの間で吸気部３２を形成するので、吸気構造も簡単である。
【００３１】
さらに本実施の形態では、パッキン２０の高部壁２１Ｈの外側面に低部壁２１Ｌの外側面より外方に突出する外方突出部２１Ｓを形成して、吸気部３２の入口３２ａより高部壁２１Ｈの外側面を外方に出した。図４において、汁受皿２２の位置が半径方向にずれると、汁受皿２２の垂下壁２２ｅが吸気部３２の入口３２ａを塞ぐ恐れがあるが、上片部２０ｂ１の高部壁２１Ｈの外側面に外方突出部２１Ｓを設けておけば、垂下壁２２ｅが外方突出部２１Ｓに接触することにより、吸気部３２の入口３２ａと垂下壁２２ｅとの間隙Ｙが確実に確保され、吸気部入口３２ａは塞がれることはない。
【００３２】
なお、この実施の形態では、外方突出部２１Ｓを高壁部２１Ｈの外周側面全域に設けたが、凸部２１Ｔの外周側面だけに設けてもよい。また高壁部２１Ｈにおいて凸部２１Ｔの内周側面が外側に後退しているが、内周側面２０ｃと同一位置上の内周面とすることができる。
【００３３】
また上記のように汁受皿２２がずれた場合でも、汁受皿２２の中心を起点にした反対側の位置では、パッキン２０の内周側面２０ｃと汁受皿２２の外周立ち上がり壁２２ｃとの間には間隙Ｚを確保しているが、この間隙Ｚが狭くなる。そこでパッキン２０の内周側面２０ｃの少なくとも低部壁２０１Ｌの内側に下部分２０ｃＢよりも外方へ後退させた切除部２０ｃＳを形成した。このようにすれば、パッキン２０の内周側面２０ｃと汁受皿２２の外周立ち上がり壁２２ｃとの間隙Ｚをより多く形成できる。
【００３４】
図５はパッキンの他の実施の形態を示すもので、基本構造は前記パッキン２０と同じであるが、この実施の形態では、パッキン２００の内周側面２００ｃにおいて、高部壁２０１Ｈの内周面に低部壁２０１Ｌの内周面より内側に突出する内方突起２０１Ｓを形成して、高部壁２０１Ｈの内周面が低部壁２０Ｌの内周面より内側に突出している。高部壁２０１Ｈの外側面には外方に突出する外方突出部はない。
【００３５】
これにより、吸気部２３２の出口２３２ｂより高部壁２０１Ｈの内周面が内方に突出しているので、汁受皿２２が半径方向にずれても汁受皿２２の外周立ち上がり壁２２ｃが内方突起２０１Ｓに当接して、それ以上低部壁２０１Ｌ、即ち出口２３２ｂに接近しないように位置規制され、前記の間隙Ｚを確保できる。このとき汁受皿２２の中心を起点とした反対側では、汁受皿２２の垂下壁２２ｅと吸気部２３２の入口２３２ａとが接近することになるが、上記の汁受皿２２の位置規制により両者の間隙Ｙは確保されるようになっている。したがって吸気部２３２は汁受皿２２のずれにより垂下壁２２ｅの吸気部２３２の入口２３２ａや外周立ち上がり壁２２ｃの出口２３２ｂへの接近が生じても、塞がれることなく吸気経路が確保できる。
【００３６】
なお、内方突起２０１Ｓは高部壁２０１Ｈの全高にわたって設けたが、高部壁２０１Ｈの上部分（凸部２０１Ｔの部分）または下部分（上辺部２００ｂ１と同位置の部分）に設けるだけでもよい。さらに汁受皿２２の外周立ち上がり壁２２ｃが想像線で示したように深ければ、高部壁２０１Ｈに内方突起を設ける代わりに、内方突起を高部壁２０１Ｈの下方の側片部２００ｂ３の部分だけに設けても、あるいは側片部２００ｂ３から下片部２００ｂ２にわたって設けてもよい。
【００３７】
本発明の他の実施の形態を図６に示す。本実施の形態のドロップインコンロ１０は、コンロ本体１２の上面を覆う天板１４の開口１６にコンロ本体１２内に収容された内炎式のバーナ３９が臨んでいる。該バーナ３９の中央部の開口３９ａの下方には、バーナ３９に取り付けた環状係止フレーム３３上に汁受皿３４が載置されている。
【００３８】
バーナ３９の上方には、炎孔３９ｂからの炎が天板１４の下方から上方に流れる際に炎を中心方向に導く内側に向かって上方に傾斜する集合部３８ａと、集合部３８ａによって中心方向に導かれた炎を外上方に導く拡散部３８ｂを備えたガイド部材３８が配設されている。なお、ガイド部材３８の基部３８ｃはバーナ３９に取り付けられた支持体４１にバーナ３９と間隙Ａを存して取り付けられており、バーナ３９とガイド部材３８との間に空気が流れて炎をさらに中心方向に導いている。
【００３９】
天板１４の開口１６の周縁部１４ａには前記パッキン２０が取り付けられ、パッキン２０上には環状の煮汁リング３６が載置され、煮汁リング３６の外側で天板１４に五徳２４が載置されている。煮汁リング３６は、前記ガイド部材３８の拡散部３８ｂと天板１４の開口周縁部１４ａとの間隙Ｂを覆い、該間隙Ｂから煮汁が落入しないようにするもので、上面部３６ａと内周壁３６ｂと外周垂下壁３６ｃとで構成され、内周壁３６ｂは内方に向かうに従い下り傾斜となる傾斜部３６ｂ１とその内端から垂下する内周垂下壁３６ｂ２とからなっている。
【００４０】
本実施の形態でも、天板１４の開口周縁部１４ａに取り付けたパッキン２０は、第１の実施の形態と同様の形状に形成されており、煮汁リング３６の水平部３６ａが前記パッキン２０の高部壁２１Ｈに載置されることにより、パッキン２０の低部壁２１Ｌの低部面と上面部３６ａとの間で吸気部３２が形成される。このとき、内周垂下壁３６ｂ２はガイド部材３８の拡散部３８ｂの内側に位置する。なお、汁受カバー３６がパッキン２０に載置されたとき、外周垂下壁３６ｃの下端は先の例と同様に天板上面と間隙Ｘを存している。
【００４１】
したがって、天板１４の上方から燃焼用空気を吸気部３２から吸い込んで、コンロ本体１２の密閉性が高くても、十分な燃焼用空気をコンロ本体１２内部に供給することができる。またパッキン２０の凸部２１Ｔを間隔をあけて設けるだけで、煮汁リング３６の上面部３６ａとの間で吸気部３２を形成するので、吸気構造も簡単である。
【００４２】
またパッキン２０の高部壁２１Ｈの外側面の外方突出部２１Ｓや低部壁２１Ｌの内側の切除部２０ｃＳについても先の実施の形態と同様であり、同様な作用効果を奏する。なお、この例では、天板１４はガラス板１４１とその外周の枠体１４２とからなっている。
【００４３】
またパッキン２０の代わりに第２の実施の形態のパッキン２００を採用した場合も同様である。
【００４４】
図７は、煮汁リング３６０を外炎式のガスバーナ４０に採用した実施の形態を示すものである。ガスバーナ４０はバーナボディ４０１とバーナヘッド４０２とからなっている。
【００４５】
煮汁リング３６０は、中央開口３６０ｂとその周囲の上面部３６０ａと該上面部３６０ａの外周縁から垂下する外周垂下壁３６０ｃとからなっている。上面部３６０ａはバーナ４０の外側面と天板１４のパッキン５００との間隙Ｚを覆うと共に、外方に向かうに従い低く傾斜していて、上面部３６０ａに落ちた煮こぼれ汁は天板１４側に導かれて、バーナ４０とパッキン５００との間隙Ｚから煮こぼれ汁がコンロ本体内に落入しない。
【００４６】
本実施の形態でのパッキン５００は、基本構造は前記パッキン２０と同じであり、高部壁５０１Ｈに前記煮汁リング３６０の上面部３６０ａが載置され、低部壁５０１Ｌの低面部と上面部３６０ａとの間には間隙ができて吸気部５３２となる。
【００４７】
煮汁リング３６０は、その中央開口３６０ｂにガスバーナ４０が貫挿されて高部壁５０１Ｈに載置され、煮汁リング３６０の半径方向の動きはガスバーナ４０により制限されてずれは殆ど生じないので、前記のパッキン２０、２００のように外方や内方への位置決め突起はない。
【００４８】
煮汁リング３６０が高部壁５０１Ｈに載置されたとき、外周垂下壁３６０ｃと天板１４との間の間隙Ｘ、および外周垂下壁３６０ｃと吸気部５３２の入口５３２ａとの間の間隙Ｙが、先の実施の形態と同様に存している。
【００４９】
上記のようになっているので、バーナ４０を燃焼させると、燃焼用空気は間隙Ｘ、Ｙ、吸気部５３２、Ｚを経てバーナ４０の一次空気口より吸引される。
【００５０】
以上の実施の形態では、いずれも、ガラス板のみからなる或いはガラス板と外周枠とからなる天板を用いたドロップインコンロを例にとって説明したが、天板はガラス板の代わりに厚さ数ｍｍのアルミニウム等の金属板を用いたり、薄い金属板の周囲を折り曲げた天板を採用することもできる。
【００５１】
【発明の効果】
以上の説明から明らかなように、本発明のコンロによれば、コンロ本体の上面を覆う天板の開口周縁部に取付けたパッキンの上面に周方向に間隔をあけて凸部を設けることによって、パッキンに載置した汁受皿もしくは煮汁リングとパッキンとの間に吸気部を画成するので、コンロ本体の密閉性が高くても、十分な燃焼用空気を吸入してコンロ本体内に供給でき、その吸気構造も簡単である。
【図面の簡単な説明】
【図１】本発明のコンロの一実施の形態を示す断面図である。
【図２】図１のコンロの天板の開口周縁部に取付けるパッキンを示す平面図である。
【図３】図２のパッキンとその上に載置した汁受皿の部分を示す斜視図である。
【図４】図１のＤ部詳細図である。
【図５】本発明の他の実施の形態のパッキンを使用したときの図４と同様なＤ部詳細図である。
【図６】本発明のコンロの他の実施の形態を示す断面図である。
【図７】本発明のコンロのさらに他の実施の形態を示す断面図である。
【符号の説明】
２　　　　ワークトップ
３　　　　開口
１０　　　コンロ
１２　　　コンロ本体
１４　　　天板
１６　　　開口
１８、３９　ガスバーナ
２０　　　パッキン
２１ｃＳ　切除部
２１Ｈ　　高部壁
２１Ｌ　　低部壁
２１Ｓ　　　　外方突出部
２１Ｔ　　凸部
２２　　　汁受皿
２２ｄ　　フランジ部
２２ｅ　　垂下壁
３２　　　吸気部
３６　　　煮汁リング
３６ａ　　上面部
３６ｃ　　外周垂下壁
【図１】
2004144307.tif 000003
【図２】
2004144307.tif 000004
【図３】
2004144307.tif 000005
【図４】
2004144307.tif 000006
【図５】
2004144307.tif 000007
【図６】
2004144307.tif 000008
【図７】
2004144307.tif 000009